(57)【要約】      （修正有）【課題】興趣性、装飾性に富み、食欲を喚起、増進させるとともに、食物の保持力を高めた食事用ピックを提供する。【解決手段】倒立した動物を模してなる食事用ピックであって、前方の２本足（前足、手）１ａ、１ｂ、その先端の延伸部２ａ、２ｂ及びその先端の抜け止め防止部３ａ、３ｂを突き刺し部４ａ、４ｂとし、上方の尻尾５の部分を把持部７とした。尚、素材としては、剛性があり、耐衝撃性等の機械的性質に優れ、加工性の良好なＡＢＳ樹脂を使用した。【選択図】図１
0003188613.tif 000002
【実用新案登録請求の範囲】
【請求項１】
倒立した動物を模してなる食事用ピックであって、前記動物の２本の足を食物の突き刺し部とすることを特徴とする食事用ピック。
【請求項２】
動物が４本の足を有し、そのうちの前方の２本の足を食物の突き刺し部とすることを特徴とする請求項１記載の食事用ピック。
【考案の詳細な説明】
【技術分野】
【０００１】
本考案は、おかず、果物等の食物に突き刺して食べるための食事用ピックに関し、更に詳しくは、これらの食物に興趣性や装飾性を付与して、食欲を喚起したり増進することができる食事用ピックに関する。
【背景技術】
【０００２】
従来から、食卓を楽しく、美味しく見せるために、盛り付けや食器を工夫したり、花やさまざまな飾りを食物の周りに配置したりすることは一般に行われ、これらにより、視覚的に食欲を惹き起こしたり、増進したりすることが行なわれている。
【０００３】
特に、女性や年少者の中には食の細い者や好き嫌いの激しい者も多く、心身の健全な発達に支障を来たす場合がある。また、近時、たとえ家族でも食事の時間がバラバラになり、独りで黙々と食事を取ることも多く、食欲の減退を招き、また、栄養の偏りなども心配される。また、高齢者や病人においても同様の問題がある。
【０００４】
このような情況下において、近時、動物を模した愛らしい食事用ピックが提案されている（例えば、特許文献１参照）。
【先行技術文献】
【特許文献】
【０００５】
【特許文献１】実用新案登録第３１４６３６６号公報
【考案の概要】
【考案が解決しようとする課題】
【０００６】
しかしながら、特許文献１で提案されている食事用ピックは食物の突き刺し部が１本からなるため、食している最中に食物が回転するため食べにくく、また、食物が回転しているうちに突き刺し部と食物の間に隙間ができ、突き刺し部から食物が落下するトラブルが発生する場合がある。特に、このようなトラブルは年少者や高齢者に発生し易い。
【０００７】
本考案者はかかる課題を解消するべく鋭意検討の結果、倒立した動物の２本の足を食物の突き刺し部とすることにより、倒立によって愛らしさや微笑ましさが一層増すとともに、上記従来の保持力に関する問題が一挙に解決することを見い出し、本考案を完成するに至ったものである。
【課題を解決するための手段】
【０００８】
本考案の特徴は、倒立した動物を模してなる食事用ピックであって、前記動物の２本の足を食物の突き刺し部とすることを特徴とする食事用ピックである。
【０００９】
本考案の他の特徴は、動物が４本の足を有し、そのうちの前方の２本の足を食物の突き刺し部とすることを特徴とする請求項１記載の食事用ピックである。
【考案の効果】
【００１０】
本考案の食事用ピックは、動物を倒立させて該動物の２本の足を食物の突き刺し部としたもので、動物を逆立ちさせることにより、愛らしさや微笑ましさが一層増し、食事が楽しくなり、食欲が喚起され増進される。
【００１１】
また、倒立した動物の２本の足を食物の突き刺し部としたので食物は２本の突き刺し部でしっかりと保持され、従来の突き刺し部が１本のピックのように、食している最中に食物がピックの回りを回転して食べにくいという問題や、食物がピックから脱落するといった問題が一挙に解消される。
【図面の簡単な説明】
【００１２】
【図１】本考案の一例を示すもので、（ａ）は正面図、（ｂ）は背面図、（ｃ）は側面図である。
【図２】本考案の他の一例を示すもので、（ａ）は正面図、（ｂ）は背面図、（ｃ）は側面図である。
【図３】本考案の他の一例を示すもので、（ａ）は正面図、（ｂ）は背面図、（ｃ）は側面図である。
【図４】本考案の他の一例を示すもので、（ａ）は正面図、（ｂ）は背面図、（ｃ）は側面図である。
【図５】本考案の他の一例を示すもので、（ａ）は正面図、（ｂ）は背面図、（ｃ）は側面図である。
【図６】本考案の他の一例を示すもので、（ａ）は正面図、（ｂ）は背面図、（ｃ）は側面図である。
【図７】本考案の他の一例を示すもので、（ａ）は正面図、（ｂ）は背面図、（ｃ）は側面図である。
【図８】本考案の更に別の例を示す正面図である。
【図９】本考案の更に別の例を示す正面図である。
【図１０】本考案の更に別の例を示す正面図である。
【考案を実施するための形態】
【００１３】
本考案の食事用ピックの特徴は、倒立した動物を模してなる食事用ピックであって、前記動物の２本の足を、食物の突き刺し部とすることにある。
【００１４】
本考案における動物は、少なくとも２本の足を有する動物であればよく、倒立した形態をとりやすく愛らしさや微笑ましさの点からは、４本の足を有する動物がより好ましい。このような動物としては特に制限されないが、日頃からペットとして人気のあるネコやイヌの他、動物園で人気の高いパンダ、トラ、ライオン、ヒョウ、シマウマ、ゾウ、キリ、カバ、サイ、クマ、アライグマ、キツネ、タヌキ、ウサギ等が挙げられる。また、ステゴサウルス、トリケラトプス、アロサウルス、ゴルゴサウルス等の恐竜も含まれる。
【００１５】
また、２本の足を有する動物は、倒立した形態をとりにくく、また倒立による奇抜さや意外性にも欠けるため、上記した４本足の動物に比べると愛らしさや微笑ましさに欠けるが、ペンギン等の海鳥、フクロウ、ミミズク、カモ、カワセミ、ハト、ペリカン等の鳥類も含まれる。
尚、本考案において動物とは、植物に対置される用語として広く解釈され、運動と感覚の機能を有する生物群を指すものとする。
【００１６】
本考案において、上記動物の形態を模して倒立させ、２本の足の動物の場合は２本の足を、また４本足の動物の場合は前方の２本の足（前足、手）を食物の突き刺し部とする。従って、上方の部分、即ち、２本足の動物の場合は尾部付近が、また４本足の動物の場合は、後方の２本の足（後足）や尻尾及び尾部等それらの近辺部分が把持部となる。
【００１７】
本考案の食事用ピック素材は特に制限されず、プラスチック、金属、木、竹、等安全な素材であればよいが、造形性（成形性）、着色性、コスト等の面でプラスチックが好ましい。プラスチックとしては特に制限されないが、ポリエチレン、ポリプロピレン等のポリオレフィン樹脂、ポリスチロール樹脂、ポリ塩化ビニル樹脂、ポリアミド樹脂、ポリエステル樹脂、ＡＢＳ樹脂、ＡＳ樹脂等が挙げられる。これらの中で、剛性があり、耐衝撃性等の機械的性質や加工性に優れるＡＢＳ樹脂が好ましい。
【００１８】
突き刺し部は、余り大き過ぎると弁当箱や折り箱等の内部に収納しにくく、余り小さ過ぎると食物の保持が不十分となるので、概ね２０〜３０ｍｍ程度が好ましい。また、食物が不用意に脱落しないように、突き刺し部の先端に矢尻のような抜け止め防止部を設けるのが好ましい。
尚、動物の２本の足を上記の長さとしてそのまま突き刺し部としてもよく、また、２本の足を突き刺し部の一部として利用し、その先端に別途延伸部を設けて突き刺し部としてもよい。この場合、延伸部のみならず、必要に応じ、２本の足も突き刺し部として使用することが可能であることは云うまでもない。
【実施例】
【００１９】
以下、本考案を実施例に基づいて更に詳細に説明するが、本考案はこれらにより何ら制限されるものではない。
【００２０】
実施例１
図１に示すように、ネコを模した食事用ピックであって、ネコを倒立させ、前方の２本足（前足、手）１ａ、１ｂ、その先端の延伸部２ａ、２ｂ及びその先端の抜け止め防止部３ａ、３ｂを突き刺し部４ａ、４ｂとし、上方の尻尾５の部分を把持部７とした例である。尚、素材としては、剛性があり、耐衝撃性等の機械的性質に優れ、加工性の良好なＡＢＳ樹脂を使用した。
【００２１】
実施例２〜３
実施例２は図２に、実施例３は図３に示すように、実施例１において、ネコの模様を変えた他は実施例１の食事用ピックと同じである。
【００２２】
実施例４〜７
図４〜図７に示すように、実施例１においてネコをイヌに変えた例である。
尚、実施例４（図４：ビーグル）、実施例６（図６：ダルメシアン）では尻尾５を把持部５としているが、実施例５（図５：コーギー）、実施例７（図７：フレンチドッグ）では上方の２本の足（後足）６ａ、６ｂや尻尾５の付近の部分を把持部７とした例である。
【００２３】
実施例８〜１０
実施例８は、図８に示すように、実施例１のネコをパンダに変更した例である。
実施例８（図８）では、上方の２本の足（後足）６ａ、６ｂ、尻尾５の付近を把持部７とした例である。
また、実施例９は、図９に示すように、実施例１のネコをサルに変更した例で、サルの前方の２本の足（２本の手）１ａ、１ｂを突き刺し部４ａ、４ｂとした例である。本例では握りしめた手指を抜け止め防止部としている。
更に、実施例１０は、図１０に示すように、実施例１のネコをゾウに変更した例で、尻尾５を把持部７とした例である。
【産業上の利用可能性】
【００２４】
叙上のとおり、本考案の食事用ピックは倒立した動物を模してなり、２本の足（４足動物の場合は前足、手）を突き刺し部として利用するため、愛らしさや微笑ましさが一層増し、食事の雰囲気を和ませ楽しくし、その結果、食欲が喚起、増進される。また、２本の足からなる突き刺し部で食物を突き刺し保持するため、食している最中に食物が回転したり、脱落したりすることがなく、しっかりと保持される。従って、本考案の食事用ピックは、年少者や高齢者、更に体力の低下した病人であっても好適に使用することができる。
【符号の説明】
【００２５】
１ａ、１ｂ  ２本の足（前足、手）
２ａ、２ｂ  延伸部
３ａ、３ｂ  抜け止め防止部
４ａ、４ｂ  突き刺し部
５  尻尾
６ａ、６ｂ  ２本の足（後足）
７  把持部
【図６】
0003188613.tif 000003
【図１】
0003188613.tif 000004
【図２】
0003188613.tif 000005
【図３】
0003188613.tif 000006
【図４】
0003188613.tif 000007
【図５】
0003188613.tif 000008
【図７】
0003188613.tif 000009
【図８】
0003188613.tif 000010
【図９】
0003188613.tif 000011
【図１０】
0003188613.tif 000012